【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
記録媒体において、
前記記録媒体が、複写を防止したデータの生成及び処理のいずれか又は双方を行う際に用いるための複写防止情報を含んでいるか否かを指す複写防止指示情報を含み、
前記複写防止指示情報及び前記複写防止情報のいずれか又は双方は、前記記録媒体のある領域にウォーブル形状で記録されることを特徴とする記録媒体。
【請求項２】
前記記録媒体が前記複写防止指示情報に基づく複写防止情報を含んでいれば、前記複写を防止したデータを、前記複写防止情報を用いて記録又は再生する一方、前記記録媒体が前記複写防止指示情報に基づく複写防止情報を含んでいなければ、前記複写防止情報を利用せずに直接データを記録又は再生することを特徴とする請求項１記載の記録媒体。
【請求項３】
前記複写防止指示情報が複写防止情報を前記記録媒体が含んでいないことを示していれば、前記記録媒体は、前記複写を防止したデータの生成及び処理の何れか又は双方に用いるための複写防止情報を含まないことを特徴とする請求項２記載の記録媒体。
【請求項４】
前記複写防止指示情報が前記記録媒体に複写防止情報が含まれていることを示しているが、前記複写防止情報の値が複写防止情報が存在しないことを指していれば、前記記録媒体は、前記複写を防止したデータの生成及び処理の何れか又は双方に用いるための複写防止情報を含まないことを特徴とする請求項２記載の記録媒体。
【請求項５】
前記複写防止指示情報が前記記録媒体が複写防止情報を含んでいることを示し、かつ前記複写防止情報の値が複写防止情報が存在することを示していれば、前記記録媒体は、前記データの生成及び処理の何れか又は双方に用いるための複写防止情報を含むことを特徴とする請求項２記載の記録媒体。
【請求項６】
前記複写防止指示情報及び複写防止情報の何れか又は双方が前記記録媒体のリードイン領域に記録されている特徴とする請求項５記載の記録媒体。
【請求項７】
前記複写防止情報が暗号化及び解読の何れか又は双方に必要なキー値を含むことを特徴とする請求項１記載の記録媒体。
【請求項８】
前記複写防止指示情報と前記複写防止情報とが前記記録媒体の異なった領域にそれぞれ記録されることを特徴とする請求項１記載の記録媒体。
【請求項９】
前記複写防止指示情報が前記記録媒体のリードイン領域に記録された制御情報部分に含まれ、そのその制御情報部分は前記記録媒体の一般情報を含むことを特徴とする請求項８に記載の記録媒体。
【請求項１０】
前記複写防止指示情報が、前記制御情報部分に、１バイト内で複写防止情報が存在することを示すことを特徴とする請求項９記載の記録媒体。
【請求項１１】
前記複写防止指示情報が前記記録媒体が複写防止情報を含まないことを示す場合、複写防止情報を記録する領域を値「００」で満たすことを特徴とする請求項８記載の記録媒体。
【請求項１２】
前記複写防止指示情報と前記複写防止情報とが前記記録媒体のリードイン領域に記録され、前記複写防止情報が前記複写防止指示情報に続くことをと特徴とする請求項７記載の記録媒体。
【請求項１３】
記録媒体からデータを再生する方法において、
（ａ）複写を防止したデータを処理するために用いる複写防止情報を記録媒体が含んでいるか否かを指示する複写防止指示情報を、データを再生するために利用するステップであって、前記複写防止指示情報及び前記複写防止情報のいずれか又は双方は前記記録媒体のある領域にウォーブル形状で記録される、前記ステップと、
（ｂ）前記記録媒体が複写を防止したデータを処理するために使用される複写防止情報を含むとき、その複写防止情報を用いてデータを再生し、または前記記録媒体が、複写を防止したデータを処理するために使用される複写防止情報を含まないとき、複写防止情報を用いずにデータを直接再生するステップと
を含むことを特徴とする方法。
【請求項１４】
（ｃ）ウォーブル形状で記録された複写防止指示情報及び複写防止情報の何れか又は双方をプッシュプル方法で再生するステップをさらに含むことを特徴とする請求項１３記載の方法。
【請求項１５】
前記記録媒体が複写防止情報を含んでいると、前記記録媒体のある領域から複写防止情報を前記複写防止指示情報に基づいて検出するステップ（ｂ’）を、前記ステップ（ｂ）が含むことを特徴とする請求項１４記載の方法。
【請求項１６】
前記複写防止指示情報と前記複写防止情報が前記記録媒体の異なった領域にそれぞれ記録されており、前記ステップ（ｂ’）で前記記録媒体の異なった領域に記録されている複写防止情報を検出することを特徴とする請求項１５記載の方法。
【請求項１７】
前記複写防止指示情報が前記記録媒体のリードイン領域に記録されている特徴とする請求項１６記載の方法。
【請求項１８】
前記複写防止指示情報が複写防止情報の存在を制御情報部分で１バイト以内で指示することを特徴とする請求項１７記載の方法。
【請求項１９】
記録媒体からデータを再生する方法において、
（ａ）複写を防止したデータを処理するのに使用するための複写防止情報を記録媒体が含むかどうかを指示する複写防止指示情報を検出するステップであって、前記複写防止指示情報及び前記複写防止情報のいずれか又は双方は前記記録媒体のある領域にウォーブル形状で記録される、前記ステップと、
（ｂ）検出された前記複写防止指示情報に基づいて、前記記録媒体が複写を防止したデータを処理するために使用される複写防止情報を含むとき、その複写防止情報を用いてデータを再生し、または前記記録媒体が、複写を防止したデータを処理するために使用される複写防止情報を含まないとき、複写防止情報を用いずにデータを直接再生するステップと
を含むことを特徴とする方法。
【請求項２０】
前記ステップ（ａ）で前記ウォーブル形状で記録された複写防止指示情報をプッシュプル方法で検出することを特徴とする請求項１９記載の方法。
【請求項２１】
前記ステップ（ａ）が、前記複写防止指示情報が前記記録媒体が前記複写防止情報を含んでいることを指示していれば、複写が防止されたデータを処理するのに使用複写防止情報を検出するステップ（ａ’）をさらに含むことを特徴とする請求項１９記載の方法。
【請求項２２】
前記ステップ（ａ’）が前記複写防止指示情報とは異なった領域に記録されている複写防止情報を検出することを特徴とする請求項２１記載の方法。
【請求項２３】
前記異なった領域は前記記録媒体のリードイン領域であることを特徴とする請求項２２記載の方法。
【請求項２４】
記録媒体にデータを記録する方法において、
（ａ）前記データの生成及び処理の何れか又は双方に用いるための複写防止情報を前記記録媒体が含んでいるか否かを示す複写防止指示情報を利用するステップであって、前記複写防止指示情報及び前記複写防止情報のいずれか又は双方は前記記録媒体のある領域にウォーブル形状で記録される、前記ステップと、
（ｂ）前記複写防止指示情報及び前記複写防止情報のいずれか又は双方に基づいてメインデータ領域にデータを記録するステップと
を含むことを特徴とする方法。
【請求項２５】
前記データの生成及び処理の何れか又は双方に用いるための複写防止情報を前記記録媒体が含んでいれば、前記記録媒体の特定の領域から複写防止情報を検出するステップ（ａ’）を、前記ステップ（ａ）が含むことを特徴とする請求項２４記載の方法。
【請求項２６】
前記検出された複写防止情報を使用して複写が防止されたデータを生成するステップ（ｂ’）を、前記ステップ（ｂ）が含むことを特徴とする請求項２５記載の方法。
【請求項２７】
前記ステップ（ａ’）が、前記複写防止指示情報が記録されている領域とは異なった特定の領域から前記複写防止情報を検出することを特徴とする請求項２５記載の方法。
【請求項２８】
前記ステップ（ａ’）が、前記記録媒体のリードイン領域から複写防止情報を検出するとことを特徴とする請求項２５記載の方法。
【請求項２９】
前記ステップ（ａ’）が、プッシュプル方法を用いて複写防止指示情報を検出することを特徴とする請求項２５記載の方法。
【請求項３０】
記録媒体からデータを再生するための装置において、
前記装置は、複写防止指示情報と複写防止情報に基づいてデータを再生するために、複写が保護されたデータを処理するのに用いるための前記複写防止情報を前記記録媒体が含んでいるか否かを示す前記複写防止指示情報を利用するようになっており、前記複写防止指示情報及び前記複写防止情報のいずれか又は双方は前記記録媒体のある領域にウォーブル形状で記録されており、前記記録媒体が前記複写を防止したデータを処理するのに使用するための複写防止情報を含んでいれば、前記複写防止情報を用いてデータを再生し、前記記録媒体が前記複写を防止したデータを処理するのに使用するための複写防止情報を含まなければ複写防止情報を使用しないで直接データを再生することを特徴とする装置。
【請求項３１】
ウォーブル形状で記録された前記複写防止指示情報及び前記複写防止情報のいずれか又は双方をプッシュプル方法を用いて再生することを特徴とする請求項３０記載の装置。
【請求項３２】
前記記録媒体が複写防止情報を含んでいないことを前記複写防止指示情報が示していれば、前記記録媒体が複写を防止したデータを処理するのに用いるための複写防止情報を含まないと判別することを特徴とする請求項３１記載の装置。
【請求項３３】
前記複写防止指示情報が前記記録媒体に複写防止情報を含んでいることを示しているが、前記複写防止情報の値が複写防止情報が存在しないことを示していれば、前記記録媒体が複写を防止したデータを処理するのに用いるための複写防止情報を含まないと判別することを特徴とする請求項３１記載の装置。
【請求項３４】
前記複写防止指示情報が前記記録媒体が複写防止情報を含んでいることを示し、かつ前記複写防止情報の値が複写防止情報が存在することを示していれば、前記記録媒体が複写を防止したデータを処理するのに用いるための複写防止情報を含むと判別することを特徴とする請求項３１記載の装置。
【請求項３５】
前記複写防止情報を利用して、複写を防止したデータを処理することを特徴とする請求項３４記載の装置。
【請求項３６】
記録媒体からデータを再生する装置において、
複写を防止したデータを処理するのに用いるための複写防止情報を記録媒体が含んでいるか否かを決定するための複写防止指示情報を含む信号であって、前記記録媒体に記録されている前記信号を検出する検出器と、
前記検出された複写防止指示情報に基づいて、前記記録媒体が前記複写防止情報を含んでいればその複写防止情報を利用してデータを再生し、前記記録媒体が前記複写防止情報を含んでいなければ複写防止情報を利用せずにデータを直接再生する信号処理器とを含み、
前記複写防止指示情報及び前記複写防止情報のいずれか又は双方は前記記録媒体のある領域にウォーブル形状で記録されることを特徴とする装置。
【請求項３７】
前記検出器が、プッシュプル方法を用いて、ウォーブル形状で記録された複写防止指示情報を検出することを特徴とする請求項３６記載の装置。
【請求項３８】
前記検出が、さらに、前記記録媒体が複写防止情報を含んでいることを前記複写防止指示情報が示していれば、その複写防止情報を検出することを特徴とする請求項３６記載の装置。
【請求項３９】
前記信号処理器が、検出された前記複写防止情報を用いて複写を防止したデータを処理することを特徴とする請求項３８記載の装置。